(57)【要約】      （修正有）【課題】手触りがよく、手部を損傷から保護することができ、かつ漢方薬により治療する利点を有する太極筒を提供する。【解決手段】太極筒は、太極筒本体１と円環２を含み、太極筒本体１は貫通孔３、右筒胴体５、中間端部６及び左筒胴体７を含む。右筒胴体５、中間端部６及び左筒胴体７は順に固定して連結されている。貫通孔３は太極筒本体１を貫通し、貫通孔３には１つ以上の密栓が設けられている。右筒胴体５と左筒胴体７の長さは同じであり、右筒胴体５と左筒胴体７とにはいずれも摺動スリーブが設けられている。摺動スリーブは、右筒胴体５と左筒胴体７とに移動可能に連結されている。中間端部６は右筒胴体５と左筒胴体７の間に位置し、中間端部６には３つの小円体が設けられ、円環２は中間端部６における中間の小円体に固定されている。【選択図】図１
0003206410.tif 000002
【実用新案登録請求の範囲】
【請求項１】
太極筒であって、太極筒本体と円環を含み、前記太極筒本体は貫通孔、右筒胴体、中間端部及び左筒胴体を含み、前記右筒胴体、中間端部及び左筒胴体は順に固定して連結されており、前記貫通孔は太極筒本体を貫通し、前記貫通孔には１つ以上の密栓が設けられており、前記右筒胴体と左筒胴体の長さは同じであり、前記右筒胴体と左筒胴体とにはいずれも摺動スリーブが設けられており、前記摺動スリーブは、右筒胴体と左筒胴体とに移動可能に連結されており、前記中間端部は右筒胴体と左筒胴体の間に位置し、前記中間端部には３つの小円体が設けられ、前記円環は中間端部における中間の小円体に固定されている、
ことを特徴とする太極筒。
【請求項２】
前記貫通孔内には、漢方薬またはサンショウが充填される、ことを特徴とする請求項１に記載の太極筒。
【請求項３】
前記密栓は２つ設けられ、且つ貫通孔の両端に固定されている、ことを特徴とする請求項２に記載の太極筒。
【請求項４】
前記密栓は通気性の網状栓である、ことを特徴とする請求項３に記載の太極筒。
【請求項５】
前記円環は突設されている、ことを特徴とする請求項４に記載の太極筒。
【考案の詳細な説明】
【技術分野】
【０００１】
本考案は太極筒に関する。
【背景技術】
【０００２】
太極捻り棒は、「易、医、功、芸、美、楽」六位一体を文化の起源として、伝統中国医学の陰陽五行、気血理論、臓腑経絡に基づいて作られたものである。その動作は、生き生きとして形象化し、簡明かつ斬新であり、外在的な動きが落ち着きを見せ、内在的養生が調節と平和を重視し、老若男女や慢性病の患者が健康になり寿命を延ばすための自己鍛練としてよい形式である。その特別な効果のため、多くの人は太極捻り棒を使用している。市販の太極捻り棒のほとんどは硬木からなる。捻り棒の中央には凹状の中心部があり、両端には捻り棒本体より僅かに大きい端部がある。使用中、手は捻り棒本体を直接握る。捻り棒は加工を施され、捻り棒本体が非常に滑らかにされることによって、手を傷付けることはないが、往復使用する場合、手と捻り棒本体の間に摩擦が依然として生じるため、これを長時間使用するユーザまたは握る時間が長いユーザにとっては、手が赤くなったりタコが出来やすかったり、手に対する保護が要求に全く達していない。さらに、硬木の材質によって、捻り棒の手触りが非常に悪い。
【０００３】
また、太極捻り棒は、効果的に汗を発散し濁陰を排出し、舒筋活血化おを行う機能を持っていないため、使用方法が太極捻り棒と同じである上、効果的に汗を発散し濁陰を排出し、舒筋活血化おを行うことができる太極筒を設計する必要がある。
【考案の概要】
【考案が解決しようとする課題】
【０００４】
本考案が解決しようとする技術的問題は、手触りがよく、手部を損傷から保護することができ、かつ漢方薬により治療する利点を有する太極筒を提供することである。
【課題を解決するための手段】
【０００５】
前記問題を解決するために、本考案は以下のような技術的手段を採用する。
【０００６】
太極筒は、太極筒本体と円環を含み、前記太極筒本体は貫通孔、右筒胴体、中間端部及び左筒胴体を含む。前記右筒胴体、中間端部及び左筒胴体は順に固定して連結されている。前記貫通孔は太極筒本体を貫通し、前記貫通孔には１つ以上の密栓が設けられている。前記右筒胴体と左筒胴体の長さは同じであり、前記右筒胴体と左筒胴体にはいずれも摺動スリーブが設けられている。前記摺動スリーブは、右筒胴体と左筒胴体に移動可能に連結されている。前記中間端部は右筒胴体と左筒胴体の間に位置し、前記中間端部には３つの小円体が設けられ、前記円環は中間端部における中間の小円体に固定されている。
【０００７】
好ましくは、前記貫通孔内には漢方薬またはサンショウが充填される。漢方薬またはサンショウを充填することは、使用中に舒筋や活血化おの促進に有利である。
【０００８】
好ましくは、前記密栓は２つ設けられ、且つ貫通孔の両端に固定されて、漢方薬またはサンショウが移動過程において漏れることを回避するように、貫通孔内の漢方薬またはサンショウをブロックすることができる。
【０００９】
好ましくは、前記密栓は通気性の網状栓であり、ユーザが漢方薬またはサンショウの薬効成分を吸収して健康づくりの効果を奏するように、漢方薬またはサンショウの薬効成分が揮発することを容易にする。
【００１０】
好ましくは、前記密栓と前記円環は突設され、つぼマッサージを容易にする。
【考案の効果】
【００１１】
本考案の有利な効果は以下のとおりである。貫通孔が設けられるため、貫通孔内に漢方薬またはサンショウを充填することができる。貫通孔内に密栓が設けられるため、貫通孔内の漢方薬またはサンショウを固定することができる。右筒胴体と左筒胴体が設けられるため、ユーザによる握りを容易にすることができる。右筒胴体と左筒胴体にいずれも摺動スリーブが設けられるため、ユーザが使用中に掌の弱い皮膚を擦りつけるのを防止すると同時に、手と右筒胴体及び左筒胴体の摩擦力を増加し、使用効果を向上させることができる。円環が設けられるため、円環が使用中につぼマッサージボタンとされ、人体のつぼに対するマッサージに有利である。また、太極筒を用いることは、労宮で通気し、静止と動きを、偏差がないように相互に基礎として、効果的に汗を発散し濁陰を排出し、舒筋活血化おを促進する効果を奏することができる。
【図面の簡単な説明】
【００１２】
【図１】図１は、本考案の太極筒の全体の構造を示す図である。
【図２】図１は、本考案の太極筒の左側面図である。
【考案を実施するための形態】
【００１３】
図１〜２に示すように、太極筒は、太極筒本体１と円環２を含む。前記太極筒本体１は、貫通孔３、右筒胴体５、中間端部６及び左筒胴体７を含む。前記右筒胴体５、中間端部６及び左筒胴体７は順に固定して連結されている。前記貫通孔３は太極筒本体１を貫通し、前記貫通孔３には１つ以上の密栓４が設けられている。前記右筒胴体５と左筒胴体７は同じ長さを有し、前記右筒胴体５と左筒胴体７にはいずれも摺動スリーブ（図示せず）が設けられている。前記摺動スリーブは、右筒胴体５と左筒胴体７に移動可能に連結されている。前記中間端部６は右筒胴体５と左筒胴体７の間に位置し、前記中間端部６には３つの小円体が設けられ、前記円環２は中間端部６における中間の小円体に固定されている。
【００１４】
前記貫通孔３内には漢方薬またはサンショウが充填される。漢方薬またはサンショウを充填することは、使用中に舒筋や活血化おの促進に有利である。
【００１５】
前記密栓４は２つ設けられ、且つ貫通孔３の両端に固定されて、漢方薬またはサンショウが移動過程において漏れることを回避するように、貫通孔３内の漢方薬またはサンショウをブロックすることができる。
【００１６】
前記密栓４は通気性の網状栓であり、ユーザが漢方薬またはサンショウの薬効成分を吸収して健康づくりの効果を奏するように、漢方薬またはサンショウの薬効成分が揮発することを容易にする。
【００１７】
前記円環２は突設され、つぼマッサージを容易にする。
【００１８】
使用するとき、以下のような方式がある。
陽手左右下側筒捻り功は、準備姿勢が馬襠式を取り、足の開く距離が肩幅よりも少し広くなり、両手は筒胴体を掴んで握り、両方の掌は上方に向かっており、筒胴体の両端をいずれも外部に露出し、中かん穴の前に置き、互いに約２０ｃｍ離れさせており、視線が水平になり、精神が体内に集中する。
【００１９】
動作は以下のとおりである。
１．腰を軸とし、意識を中丹田または下丹田に集中させ、まず、筒胴体を、右大腿の上方まで右側に掴んで捻り回転させる。このとき、筒胴体の端部はそれぞれ前と後を指して、視線は筒胴体に従う。
【００２０】
２．勁力を十分に発したまで少し停止してから、準備姿勢を戻す。そして、左大腿の上方まで左側に捻り回転をする。このとき、左手は陰で（掌が下に向かって）筒胴体を掴んで身体に近寄っており、右手は外側で身体から離れ、少し停止する。このとき、重心は左足に片寄せる。重心を移動するとき、腰と腹は協力して、放松と緊張を結合する完全な勁力を発する。このように繰り返して左と右に捻り回転をさせる。回数は、人によって異なる。疲れすぎず、息を切らさないことが望ましい。そして、収功をする。
【００２１】
陰手左右上側筒捻り功は、準備姿勢が陽手左右下側筒捻り功の準備姿勢と同じであり、唯一の相違は両手のひらが下方に向かうことである。
【００２２】
動作は以下のとおりである。
１．歩型及び用勁は、陽手左右下側筒捻り功の身法と大体同じであり、左右の回転も同じである。しかしながら、２つの肘の間には抱いて合わせる勁力があり、腰が沈下する勁力は筒胴体の定点と１つの力に合わせる。
【００２３】
２．左に回転するとき、左手のひらは上方に向かって左胸に近接し、右手のひらは下方に向かって左前方で掴み姿勢になり、筒胴体を掴んで握るとき合谷ツボが対向し、両アームの筋肉の緊張度は螺旋形に引っ張られ、体の重心は左側に移動する。
【００２４】
３．両手の捻り勁を緩めて、元の姿勢に戻す。次に、気を蓄えて筒胴体を右上側に引き続いて捻り回転させる。動作の方法は同じであるが、ただ方向と重心は逆である。目は棒の前端を見る。
【００２５】
４．前記２つの筒胴体捻り法（陽手左右下側筒胴体捻り、陰手左右上側筒胴体捻り）は、動作が螺旋式の筋骨の勁力を発する必要がある。腰を枢軸とし、丹田を気の起源として、しっかりと協働し、結合する勁力を発する。上体の左から右へ、右から左への回転は下肢の動作と合わせて協調する。内勁は次々と発し続けられ、根から梢まで、節節貫通する。気は指の先端まで達し、握りの功を練習し、両掌の虚実開合は、さらに労宮で気の呼吸を促進する。
【００２６】
５．長さ２０ｃｍ、直径４ｃｍの太極筒を用いて操作を行う。これは系列性が強い完全な勁の功法であり、活動の範囲が大きく、肢体の運動が複雑であり、偶力が縦横に交錯し、特に体質が強い人が練習として選択することに適する。この功の強度は個人により掌握されてもよい。運動量は大きくても小さくてもよく、速くても遅くてもよく、毎分２０〜３０回の程度が好ましい。
【００２７】
立式筒胴体押し捻り回転功は、準備姿勢が弓箭定歩式（胯、膝、踝などの関節が任意に動かってもよい）を取り、重心と起源の勁は後の足に偏重する。両手は、一方の手が陰式で筒胴体を握り、他方の手が陽式で筒胴体を握り、一方の手が上に位置し、他方の手が下に位置し、虎口がいずれも上方に向かい、立式になり、勢勁は「月を懐にかかえる」ようにする。
【００２８】
動作は以下のとおりである。
１．筒胴体を掌内に捻り回転させながら、両アームは力を合わせて前向きに上体から約３３ｃｍの位置まで押し、前の足が弓の姿勢になり後の足がどん脚の姿勢になる。押すとき、含まれた弾性勁を有する必要がある。
【００２９】
２．捻り掴み拿の動作が止まらずに、極点から元の位置へ引き戻す。前向きに押して回転させるのは押勁、開勁、発勁、呼勁である。後向きに引くことは、る勁、合勁、蓄勁、吸勁である。前向きの押しと後ろ向きの引きの間の距離は約１６〜２０ｃｍである。
【００３０】
３．両アームが押したり引いたりし、両足が交互に重量を負担して身勢が前後に移動する。前かがみになるとき両アームは前向きに伸ばして押しており、体は後ろ向きに移動するとき、両アームを動かして肘を曲げて後に引く。前に移動するとき、前の足が虚から実（勁）になり、後の足が実から虚（勁）になる。後に移動するとき、虚と実の変更は逆になる。太極筒の中央部を直立させて、中かん穴に対向させる。
【００３１】
４．前と後ろの歩式は交替してもよく、上肢の動作は同じである。
【００３２】
５．筒胴体を握って押して回転させたり引いて回転させたりするとき、襠勁は下方に向かって円形になり、開合の有り様の必要があり、内から外にし、上と下に対して同時に気を配り、霊活であり、かつ勁が完全で流暢である。勁は踵で起源され、根から梢まで、節節貫通する。頭が身体を導いて移動させ（進）、戻りは尾骨が導く（座る）。棒を出すのは挟脊で支配し（呼の意味）、棒を戻させるのは羶中で支配する（吸の意味）。空かずに虚になり、滞らずに動作をし、出入に軌がある。
【００３３】
本考案の有利な効果は以下のとおりである。貫通孔が設けられるため、貫通孔内に漢方薬またはサンショウを充填することができる。貫通孔内に密栓が設けられるため、貫通孔内の漢方薬またはサンショウを固定することができる。右筒胴体と左筒胴体が設けられるため、ユーザによる握りを容易にすることができる。右筒胴体と左筒胴体にいずれも摺動スリーブが設けられるため、ユーザが使用中に掌の弱い皮膚を擦りつけるのを防止すると同時に、手と右筒胴体及び左筒胴体の摩擦力を増加し、使用効果を向上させることができる。円環が設けられるため、円環が使用中につぼマッサージボタンとされ、人体のつぼに対するマッサージに有利である。また、太極筒を用いることは、労宮で通気し、静止と動きを、偏差がないように相互に基礎として、効果的に汗を発散し濁陰を排出し、舒筋活血化おを促進する効果を奏することができる。
【００３４】
以上は、本考案の具体的な実施形態に過ぎず、本考案の保護範囲はこれに限定されるものではなく、創造的労働を果たさずに得られたすべての変更または置換は、本考案の保護範囲内に含まれる。
【図１】
0003206410.tif 000003
【図２】
0003206410.tif 000004